(57)【要約】【課題】保持部材が変形するのを抑制することができ、画像の品位を向上させることができるようにする。【解決手段】第１の方向に延在させて配設された基板４３、及び発光部を備えた基板ユニットと、前記発光部からの光を収束するレンズ部材と、前記基板ユニット及びレンズ部材を保持する保持部材と、前記基板ユニットを保持部材に向けて付勢する付勢部材とを有する。該付勢部材は、前記保持部材より外方に突出させて形成された把持部５３を備える。露光装置を組み立てる際に、作業者が把持部５３を把持して付勢部材を保持部材に取り付けることができるので、付勢部材が保持部材に接触することがなく、保持部材に外力が加わらない。【選択図】図１
2019089295.tif 000002
【特許請求の範囲】
【請求項１】
（ａ）第１の方向に延在させて配設された基板、及び該基板に搭載され、第１の方向に沿って配設された複数の発光素子から成る発光部を備えた基板ユニットと、
（ｂ）前記発光部からの光を収束するレンズ部材と、
（ｃ）前記基板ユニット及びレンズ部材を保持する保持部材と、
（ｄ）前記基板ユニットを保持部材に向けて付勢する付勢部材とを有するとともに、
（ｅ）該付勢部材は、前記第１の方向、及び前記レンズ部材の光軸の方向である第２の方向に対してほぼ直交する第３の方向において前記保持部材より外方に突出させて形成された把持部を備えることを特徴とする露光装置。
【請求項２】
前記把持部は、前記保持部材の前記第１の方向におけるほぼ中央に形成される請求項１に記載の露光装置。
【請求項３】
（ａ）前記保持部材は、前記把持部を保持部材より外方に形成するための切欠きを備え、
（ｂ）前記把持部は、前記保持部材の前記第１の方向における前記切欠きの縁部と隣接する部分に形成され、保持部材とオーバラップさせられる第１、第２の領域、及び前記保持部材の前記第２の方向における前記切欠きの縁部と隣接する部分に形成され、保持部材とオーバラップさせられる第３の領域を備える請求項１又は２に記載の露光装置。
【請求項４】
前記付勢部材を保持部材に取り付けた状態で、前記第２の方向における付勢部材と保持部材との間に所定の間隙が形成される請求項１〜３のいずれか１項に記載の露光装置。
【請求項５】
前記付勢部材を保持部材に取り付けた状態で、前記第３の方向における付勢部材と保持部材との間に所定の間隙が形成される請求項１〜４のいずれか１項に記載の露光装置。
【請求項６】
（ａ）前記レンズ部材は保持部材の前記第１の方向に延在させて配設され、
（ｂ）レンズ部材と保持部材に形成された長孔の内周面との間隙が封止剤によって封止される請求項１〜５のいずれか１項に記載の露光装置。
【請求項７】
（ａ）前記付勢部材の両端部に、露光装置を画像形成ユニットに対して位置決めするためのフレームが配設され、
（ｂ）前記把持部の厚さはフレームの厚さより小さくされる請求項１〜６のいずれか１項に記載の露光装置。
【請求項８】
前記請求項１〜７のいずれか１項に記載の露光装置を備えた画像形成装置。
【発明の詳細な説明】
【技術分野】
【０００１】
本発明は、露光装置及び画像形成装置に関するものである。
【背景技術】
【０００２】
従来、プリンタ、複写機、ファクシミリ、複合機等の画像形成装置、例えば、電子写真式のカラーのプリンタにおいては、イエロー、マゼンタ、シアン及びブラックの画像形成ユニットが配設され、該各画像形成ユニットにおいて、感光体ドラムの表面が、帯電ローラによって帯電させられ、露光装置としてのＬＥＤヘッドによって露光されて静電潜像が形成され、該静電潜像に現像ローラ上のトナーが付着させられてトナー像が形成されるようになっている。
【０００３】
前記各ＬＥＤヘッドは、複数のＬＥＤがライン状に配設された基板、ＬＥＤを発光させることによって放射された光を収束するレンズアレイ、基板及びレンズアレイを保持する保持部材としてのホルダ、基板をホルダに押し付けることによって、ＬＥＤをレンズアレイに対して位置決めするベースプレート等を備える（例えば、特許文献１参照。）。
【先行技術文献】
【特許文献】
【０００４】
【特許文献１】特開２０１３−２２８３７号公報
【発明の概要】
【発明が解決しようとする課題】
【０００５】
しかしながら、前記従来のＬＥＤヘッドにおいては、ホルダが板金及び樹脂による複合成形によって形成されるので、剛性が低く、製造工程においてＬＥＤヘッドを組み立てる際にホルダに外力が加わると、ホルダが変形してしまう。
【０００６】
その場合、レンズアレイに対するＬＥＤの位置が変化すると、プリンタによって形成される画像の品位が低下してしまう。
【０００７】
本発明は、前記従来のＬＥＤヘッドの問題点を解決して、保持部材が変形するのを抑制することができ、画像の品位を向上させることができる露光装置及び画像形成装置を提供することを目的とする。
【課題を解決するための手段】
【０００８】
そのために、本発明の露光装置においては、第１の方向に延在させて配設された基板、及び該基板に搭載され、第１の方向に沿って配設された複数の発光素子から成る発光部を備えた基板ユニットと、前記発光部からの光を収束するレンズ部材と、前記基板ユニット及びレンズ部材を保持する保持部材と、前記基板ユニットを保持部材に向けて付勢する付勢部材とを有する。
【０００９】
そして、該付勢部材は、前記第１の方向、及び前記レンズ部材の光軸の方向である第２の方向に対してほぼ直交する第３の方向において前記保持部材より外方に突出させて形成された把持部を備える。
【発明の効果】
【００１０】
本発明によれば、露光装置においては、第１の方向に延在させて配設された基板、及び該基板に搭載され、第１の方向に沿って配設された複数の発光素子から成る発光部を備えた基板ユニットと、前記発光部からの光を収束するレンズ部材と、前記基板ユニット及びレンズ部材を保持する保持部材と、前記基板ユニットを保持部材に向けて付勢する付勢部材とを有する。
【００１１】
そして、該付勢部材は、前記第１の方向、及び前記レンズ部材の光軸の方向である第２の方向に対してほぼ直交する第３の方向において前記保持部材より外方に突出させて形成された把持部を備える。
【００１２】
この場合、付勢部材は保持部材より外方に突出させて形成された把持部を備えるので、露光装置を組み立てる際に、作業者は把持部を把持して付勢部材を保持部材に取り付けることができる。したがって、付勢部材が保持部材に接触することがなく、保持部材に外力が加わらないので、保持部材が変形するのを抑制することができる。その結果、レンズ部材に対する発光部の位置が変化することがなくなるので、画像形成装置によって形成される画像の品位を向上させることができる。
【図面の簡単な説明】
【００１３】
【図１】本発明の実施の形態におけるＬＥＤヘッドの中央部の断面図である。
【図２】本発明の実施の形態におけるプリンタの概略図である。
【図３】本発明の実施の形態におけるＬＥＤヘッドの配設状態を説明するための図である。
【図４】本発明の実施の形態におけるＬＥＤヘッドの所定の部位の断面図である。
【図５】本発明の実施の形態におけるＬＥＤヘッドの両端部の断面図である。
【図６】本発明の実施の形態におけるＬＥＤヘッドの所定の部位の平面図である。
【図７】本発明の実施の形態におけるＬＥＤヘッドの組立方法を説明するための第１の図である。
【図８】本発明の実施の形態におけるＬＥＤヘッドの組立方法を説明するための第２の図である。
【図９】本発明の実施の形態におけるＬＥＤヘッドの中央部の平面図である。
【図１０】本発明の実施の形態におけるＬＥＤヘッドの中央部の正面図である。
【図１１】本発明の実施の形態におけるＬＥＤヘッドの中央部の分解図である。
【図１２】本発明の実施の形態におけるＬＥＤヘッドの中央部の要部断面図である。
【発明を実施するための形態】
【００１４】
以下、本発明の実施の形態について図面を参照しながら詳細に説明する。この場合、画像形成装置としての電子写真式のプリンタについて説明する。
【００１５】
図２は本発明の実施の形態におけるプリンタの概略図、図３は本発明の実施の形態におけるＬＥＤヘッドの配設状態を説明するための図である。
【００１６】
図において、１１はプリンタ、Ｃｓは該プリンタ１１の筐体、Ｂｄはプリンタ１１の本体、すなわち、装置本体である。
【００１７】
該装置本体Ｂｄの上方には、媒体としての図示されない用紙の搬送方向における上流側から下流側にかけてブラック、イエロー、マゼンタ及びシアンの各色の画像形成部としての画像形成ユニット１２Ｂｋ、１２Ｙ、１２Ｍ、１２Ｃが配設される。本実施の形態においては、媒体として用紙が使用されるが、用紙のほかに、ＯＨＰシート、封筒、複写紙、特殊紙等を使用することができる。
【００１８】
各画像形成ユニット１２Ｂｋ、１２Ｙ、１２Ｍ、１２Ｃは、像担持体としての感光体ドラム１３Ｂｋ、１３Ｙ、１３Ｍ、１３Ｃ、該各感光体ドラム１３Ｂｋ、１３Ｙ、１３Ｍ、１３Ｃの表面を一様に帯電させる帯電装置としての帯電ローラ１４Ｂｋ、１４Ｙ、１４Ｍ、１４Ｃ、前記感光体ドラム１３Ｂｋ、１３Ｙ、１３Ｍ、１３Ｃの表面に形成された潜像としての静電潜像に現像剤としての図示されないトナーを付着させ、可視像（現像剤像）である各色のトナー像を形成する現像剤担持体としての現像ローラ１６Ｂｋ、１６Ｙ、１６Ｍ、１６Ｃ、該現像ローラ１６Ｂｋ、１６Ｙ、１６Ｍ、１６Ｃと当接させて回転自在に配設され、トナーを現像ローラ１６Ｂｋ、１６Ｙ、１６Ｍ、１６Ｃに供給する現像剤供給部材としてのトナー供給ローラ１８Ｂｋ、１８Ｙ、１８Ｍ、１８Ｃ、先端を現像ローラ１６Ｂｋ、１６Ｙ、１６Ｍ、１６Ｃに圧接させて配設され、トナー供給ローラ１８Ｂｋ、１８Ｙ、１８Ｍ、１８Ｃから現像ローラ１６Ｂｋ、１６Ｙ、１６Ｍ、１６Ｃに供給されたトナーを薄層化する現像剤規制部材としての現像ブレード１９Ｂｋ、１９Ｙ、１９Ｍ、１９Ｃ、前記トナー供給ローラ１８Ｂｋ、１８Ｙ、１８Ｍ、１８Ｃにトナーを供給する現像剤収容部としてのトナーカートリッジ２０Ｂｋ、２０Ｙ、２０Ｍ、２０Ｃ等を備える。
【００１９】
また、各画像形成ユニット１２Ｂｋ、１２Ｙ、１２Ｍ、１２Ｃにおける感光体ドラム１３Ｂｋ、１３Ｙ、１３Ｍ、１３Ｃの上方には、露光装置としてのＬＥＤヘッド１５Ｂｋ、１５Ｙ、１５Ｍ、１５Ｃが、感光体ドラム１３Ｂｋ、１３Ｙ、１３Ｍ、１３Ｃと対向させて、感光体ドラム１３Ｂｋ、１３Ｙ、１３Ｍ、１３Ｃの軸方向に延在させて配設される。
【００２０】
そのために、図３に示されるように、筐体Ｃｓは、頂壁部に、筐体Ｃｓの本体に対してヒンジｈｇを介して矢印Ａ方向に揺動自在に、かつ、開閉自在に配設されたトップカバーＣｖを備え、該トップカバーＣｖに、画像形成ユニット１２Ｂｋ、１２Ｙ、１２Ｍ、１２Ｃに向けて取付アームＨｄが突出させて形成され、各取付アームＨｄの先端に前記ＬＥＤヘッド１５Ｂｋ、１５Ｙ、１５Ｍ、１５Ｃが取り付けられる。
【００２１】
また、画像形成ユニット１２Ｂｋ、１２Ｙ、１２Ｍ、１２Ｃにおいて、各感光体ドラム１３Ｂｋ、１３Ｙ、１３Ｍ、１３Ｃの上方を覆う各アッパハウジングｈａに、各ＬＥＤヘッド１５Ｂｋ、１５Ｙ、１５Ｍ、１５Ｃを収容するヘッド収容部ｍが形成され、該各ヘッド収容部ｍに、誘導部材としてのピンｐｎが上方に向けて突出させて形成される。
【００２２】
例えば、画像形成ユニット１２Ｂｋ、１２Ｙ、１２Ｍ、１２Ｃのうちの所定の画像形成ユニットを交換する場合等において、プリンタ１１の操作者がトップカバーＣｖを開き、続いて、閉じると、各ＬＥＤヘッド１５Ｂｋ、１５Ｙ、１５Ｍ、１５Ｃが前記ヘッド収容部ｍに嵌入させられる。このとき、各ＬＥＤヘッド１５Ｂｋ、１５Ｙ、１５Ｍ、１５Ｃに形成された図示されない被誘導孔に前記ピンｐｎが進入させられ、各ＬＥＤヘッド１５Ｂｋ、１５Ｙ、１５Ｍ、１５Ｃは画像形成ユニット１２Ｂｋ、１２Ｙ、１２Ｍ、１２Ｃに対して位置決めされる。
【００２３】
前記各ＬＥＤヘッド１５Ｂｋ、１５Ｙ、１５Ｍ、１５Ｃは、各色の画像データに従って、感光体ドラム１３Ｂｋ、１３Ｙ、１３Ｍ、１３Ｃを露光し、静電潜像を形成する。
【００２４】
前記装置本体Ｂｄにおける画像形成ユニット１２Ｂｋ、１２Ｙ、１２Ｍ、１２Ｃより下方には転写ユニットｕ１が配設される。
【００２５】
該転写ユニットｕ１は、第１のローラとしての駆動ローラＲ１、第２のローラとしての従動ローラＲ２、前記駆動ローラＲ１及び従動ローラＲ２によって矢印Ｂ方向に走行自在に張設された搬送部材としての搬送ベルト２１、並びに該搬送ベルト２１を介して感光体ドラム１３Ｂｋ、１３Ｙ、１３Ｍ、１３Ｃと対向させて配設された転写部材としての転写ローラ１７Ｂｋ、１７Ｙ、１７Ｍ、１７Ｃを備える。
【００２６】
該転写ローラ１７Ｂｋ、１７Ｙ、１７Ｍ、１７Ｃは、用紙をトナーと逆の極性に帯電させ、各色のトナー像を順次重ねて用紙に転写し、カラーのトナー像を形成する。
【００２７】
また、前記装置本体Ｂｄにおける転写ユニットｕ１より下方に、前記用紙を収容する媒体収容部としての用紙カセット２４、該用紙カセット２４内の用紙を用紙搬送路Ｒｔ１に繰り出す繰出部材としてのホッピングローラ２２、前記用紙カセット２４内の用紙の色を検出する色検出部２５等が配設される。
【００２８】
そして、用紙の搬送方向における前記ホッピングローラ２２より下流側に、搬送ローラとしてのレジストローラ対２３が配設される。
【００２９】
また、用紙の搬送方向における前記転写ユニットｕ１より下流側に、定着装置としての定着器２８が配設される。該定着器２８は、第１の定着部材としての加熱ローラ２８ａ、及び第２の定着部材としてのバックアップローラ２８ｂを備え、定着器２８において、用紙上のカラーのトナー像が、加熱され加圧されて用紙に定着させられ、カラー画像が形成される。
【００３０】
そして、用紙の搬送方向における定着器２８より下流側に、排出部材としての図示されない排出ローラ及びピンチローラが配設され、用紙は、排出ローラ及びピンチローラによって装置本体Ｂｄ外に排出され、媒体積載部としてのスタッカ２９上に積載される。
【００３１】
次に、前記構成のプリンタ１１の動作について説明する。
【００３２】
用紙カセット２４内の用紙は、ホッピングローラ２２によって用紙搬送路Ｒｔ１に繰り出され、レジストローラ対２３によって搬送され、搬送ベルト２１に静電気力によって吸着され、該搬送ベルト２１の走行に伴って、画像形成ユニット１２Ｂｋ、１２Ｙ、１２Ｍ、１２Ｃに沿って搬送される。
【００３３】
一方、各画像形成ユニット１２Ｂｋ、１２Ｙ、１２Ｍ、１２Ｃにおいて、感光体ドラム１３Ｂｋ、１３Ｙ、１３Ｍ、１３Ｃの表面が、帯電ローラ１４Ｂｋ、１４Ｙ、１４Ｍ、１４Ｃによって帯電させられ、ＬＥＤヘッド１５Ｂｋ、１５Ｙ、１５Ｍ、１５Ｃによって露光され、感光体ドラム１３Ｂｋ、１３Ｙ、１３Ｍ、１３Ｃ上に静電潜像が形成される。そして、現像ローラ１６Ｂｋ、１６Ｙ、１６Ｍ、１６Ｃのトナーが前記静電潜像に静電的に付着させられ、各色のトナー像が形成される。
【００３４】
該各トナー像は、転写ローラ１７Ｂｋ、１７Ｙ、１７Ｍ、１７Ｃによって順次重ねて用紙に転写され、用紙上にカラーのトナー像が形成される。
【００３５】
そして、カラーのトナー像が転写された用紙は定着器２８に送られ、該定着器２８において、カラーのトナー像が用紙に定着させられ、カラー画像が形成される。カラー画像が形成された用紙は、前記排出ローラ及びピンチローラによって搬送され、装置本体Ｂｄ外に排出され、スタッカ２９上に積載される。
【００３６】
次に、ＬＥＤヘッド１５Ｂｋ、１５Ｙ、１５Ｍ、１５Ｃについて説明する。なお、画像形成ユニット１２Ｂｋ、１２Ｙ、１２Ｍ、１２Ｃにおける、感光体ドラム１３Ｂｋ、１３Ｙ、１３Ｍ、１３ＣとＬＥＤヘッド１５Ｂｋ、１５Ｙ、１５Ｍ、１５Ｃとの関係、及びＬＥＤヘッド１５Ｂｋ、１５Ｙ、１５Ｍ、１５Ｃの構造はいずれも同じであるので、感光体ドラム１３Ｂｋ及びＬＥＤヘッド１５Ｂｋについてだけ説明する。
【００３７】
図４は本発明の実施の形態におけるＬＥＤヘッドの所定の部位の断面図、図５は本発明の実施の形態におけるＬＥＤヘッドの両端部の断面図、図６は本発明の実施の形態におけるＬＥＤヘッドの所定の部位の平面図、図７は本発明の実施の形態におけるＬＥＤヘッドの組立方法を説明するための第１の図、図８は本発明の実施の形態におけるＬＥＤヘッドの組立方法を説明するための第２の図である。
【００３８】
図において、１３Ｂｋは感光体ドラム、１５Ｂｋは該感光体ドラム１３Ｂｋと対向させて配設されたＬＥＤヘッドである。なお、この場合、感光体ドラム１３Ｂｋの軸方向であるＬＥＤヘッド１５Ｂｋの長手方向を第１の方向とし、レンズ部材としてのレンズアレイ３５の光軸の方向であるＬＥＤヘッド１５Ｂｋの高さ方向を第２の方向とし、用紙の搬送方向であるＬＥＤヘッド１５Ｂｋの短手方向を第３の方向（第１、第２の方向に対してほぼ直交する方向）とする。
【００３９】
ＬＥＤヘッド１５Ｂｋは、感光体ドラム１３Ｂｋの軸方向に延在させて配設された箱状体から成る保持部材としてのホルダ３１、該ホルダ３１内において、感光体ドラム１３Ｂｋの軸方向に延在させて配設された基板ユニットとしてのＬＥＤユニット３３、前記感光体ドラム１３Ｂｋの軸方向に延在させてホルダ３１に取り付けられたレンズアレイ３５、感光体ドラム１３Ｂｋの軸方向に延在させて配設され、前記ＬＥＤユニット３３をホルダ３１に向けて付勢し、支持部としての凸片４１に押し付ける第１の付勢部材としての、かつ、押付部材としてのベース部材３７、前記ホルダ３１の長手方向における両端部に取り付けられたフレーム３９、該フレーム３９と前記取付アームＨｄ（図３）との間に配設され、前記トップカバーＣｖが閉じられたときに、所定の付勢力によってＬＥＤヘッド１５Ｂｋを感光体ドラム１３Ｂｋに向けて付勢する第２の付勢部材としての図示されないコイルばね等を有する。なお、フレーム３９の上面には、コイルばねの下端に進入し、コイルばねを支持する十字形の突起４０が形成される。
【００４０】
前記ホルダ３１は、板金及び樹脂による複合成形によって形成された細長い箱状体から成り、底壁Ｗｂ、該底壁Ｗｂの両縁から互いに平行に立ち上げて形成された側壁Ｗｓ１、Ｗｓ２、及び底壁Ｗｂの両端から互いに平行に立ち上げて形成された図示されない端壁を備え、側壁Ｗｓ１、Ｗｓ２及び端壁の各上縁によって開口が形成される。そして、前記底壁Ｗｂに、前記ホルダ３１の長手方向に延在させて長孔ｈ１が形成され、該長孔ｈ１に、レンズアレイ３５が貫通させられ、保持される。また、前記側壁Ｗｓ１、Ｗｓ２の長手方向における複数箇所に、等ピッチで、かつ、互いに対向させて、ＬＥＤユニット３３を保持するための前記凸片４１が内周面から突出させて形成される。
【００４１】
前記ＬＥＤユニット３３は、ＬＥＤヘッド１５Ｂｋの長手方向に延在させて配設され、耐電圧性及び絶縁性を有する材料、本実施の形態においては、ガラスエポキシ樹脂から成る基板４３、及び該基板４３に搭載された発光部としてのＬＥＤチップアレイ４４を備える。該ＬＥＤチップアレイ４４は、長手方向に沿って配設された発光素子としての図示されない複数のＬＥＤから成り、該各ＬＥＤによってＬＥＤアレイが構成される。なお、前記基板４３には、各ＬＥＤの制御を行うために、図示されない複数のドライバＩＣが搭載される。
【００４２】
また、前記レンズアレイ３５は、一端（上端）に形成された入射面ＳａをＬＥＤユニット３３と対向させて、他端（下端）に形成された放射面Ｓｂを前記感光体ドラム１３Ｂｋと対向させて配設され、ＬＥＤチップアレイ４４から放射された光を収束するために、各ＬＥＤに対応させて形成された複数の小レンズを備える。各ＬＥＤを発光させることによって発生させられた光は、各小レンズによって収束され、感光体ドラム１３Ｂｋの表面で結像され、静電潜像を形成する。
【００４３】
そして、前記基板４３と各凸片４１との間には、調整部材としてのスペーサ４５が配設され、該スペーサ４５の厚さは、ＬＥＤチップアレイ４４の表面とレンズアレイ３５の入射面Ｓａとの距離、すなわち、入射距離Ｌｉがレンズアレイ３５の特性上最適な値になるように設定される。
【００４４】
また、ＬＥＤヘッド１５Ｂｋの両端部の下面、すなわち、ホルダ３１の底壁Ｗｂに、図示されないカム機構部が配設され、該カム機構部のカムを回転させることによって、レンズアレイ３５の放射面Ｓｂと感光体ドラム１３Ｂｋの表面との距離、すなわち、放射距離Ｌｏを入射距離Ｌｉと等しくすることができる。
【００４５】
なお、ホルダ３１内に光が進入するのを防止するために、レンズアレイ３５と長孔ｈ１の内周面との間隙が封止剤４７によって封止される。
【００４６】
また、前記ベース部材３７は、ＬＥＤユニット３３の上方において長手方向に延在させられ、ホルダ３１の上縁を覆う被覆部５１、ＬＥＤヘッド１５Ｂｋの長手方向におけるほぼ中央に形成された後述される一対の把持部５３（図１）、及びＬＥＤヘッド１５Ｂｋの短手方向において前記被覆部５１と把持部５３とを連結する後述される連結部５６（図１）を備える。
【００４７】
そして、前記フレーム３９は、樹脂によって形成され、「Ｌ」字状の形状を有し、前記ベース部材３７上においてホルダ３１の側壁Ｗｓ１、Ｗｓ２間に架設され、前記突起４０によってコイルばねを支持する支持部４８、及び該支持部４８の一端から側壁Ｗｓ１、Ｗｓ２のうちの一方、本実施の形態においては、側壁Ｗｓ１に沿って垂下させられた垂下部４９から成る。
【００４８】
前記支持部４８は、側壁Ｗｓ１、Ｗｓ２に形成された孔ｈ３に嵌入され、ホルダ３１に対して所定の位置に配設される。すなわち、支持部４８がベース部材３７に接触することがないように、前記孔ｈ３が形成される位置が設定され、支持部４８とベース部材３７との間に所定の値の、本実施の形態においては、０．５〔ｍｍ〕程度の間隙ε１が形成され、垂下部４９と側壁Ｗｓ１との間に所定の値の、本実施の形態においては、０．５〔ｍｍ〕程度の間隙ε２が形成される。また、垂下部４９の厚さδ１は３〔ｍｍ〕にされる。
【００４９】
製造工程において前記ＬＥＤヘッド１５Ｂｋを組み立てる場合、まず、ホルダ３１にレンズアレイ３５が取り付けられ、レンズアレイ３５と長孔ｈ１の内周面との間隙が封止剤４７によって封止される。また、ホルダ３１の凸片４１上にスペーサ４５が取り付けられる。
【００５０】
次に、ホルダ３１の上縁の開口からＬＥＤユニット３３が挿入され、基板４３の両縁がスペーサ４５に当接させられ、その状態で、ベース部材３７がホルダ３１に取り付けられる。
【００５１】
そのために、ベース部材３７の両縁の所定の箇所に、係止部としての突起ｑが形成され、ホルダ３１の側壁Ｗｓ１、Ｗｓ２における前記突起ｑと対応する箇所に、被係止部としての孔ｈ２が形成される。また、前記ベース部材３７における前記突起ｑの内側に、長手方向に延在させて、所定の長さにわたってスリットＳＬが形成される。
【００５２】
そして、ベース部材３７をホルダ３１に取り付ける場合、作業者は、前記各突起ｑを指で挟み、スリットＳＬを潰すように図６の矢印Ｃ方向に押し付け、続いて、図７の矢印Ｄ方向に押し下げ、各突起ｑを孔ｈ２と対向させた状態で突起ｑから指を離す。これにより、突起ｑは、側壁Ｗｓ１、Ｗｓ２の内周面側から孔ｈ２内に挿入され、孔ｈ２に係止させられる。
【００５３】
このとき、ベース部材３７は、図８に示されるように、基板４３側に向けて湾曲させられるので、湾曲させられるのに伴って発生した付勢力によって、ＬＥＤユニット３３がスペーサ４５を介して凸片４１に押し付けられる。
【００５４】
このようにして、ＬＥＤユニット３３が、前記入射距離Ｌｉがレンズアレイ３５の特性上最適な値になる適正な位置に位置決めされる。
【００５５】
なお、前記ベース部材３７の下面には、凸片４１及びスペーサ４５と対向させて凸部３７ａが形成される。基板４３が凸部３７ａと凸片４１及びスペーサ４５とによって複数箇所で挟持されるので、ＬＥＤユニット３３を安定した状態に置くことができる。
【００５６】
続いて、各ＬＥＤチップアレイ４４の各ＬＥＤの光軸と、レンズアレイ３５の各小レンズの光軸とを一致させるために、ホルダ３１を所定の位置に置いた状態で前記ＬＥＤユニット３３が水平方向に、すなわち、側縁Ｗｓ１、Ｗｓ２間で移動させられる。
【００５７】
このようにして、ＬＥＤユニット３３が、各ＬＥＤを発光させることによって放射された光が小レンズに確実に入斜される適正な位置に位置決めされる。
【００５８】
そして、ホルダ３１の両端部にフレーム３９が取り付けられる。
【００５９】
ところで、ベース部材３７がホルダ３１に取り付けられた後、ＬＥＤユニット３３を適正な位置に位置決めするためにＬＥＤユニット３３が水平方向に移動させられるようになっているが、このとき、ＬＥＤユニット３３に対してホルダ３１が移動することがないようにする必要がある。
【００６０】
そこで、本実施の形態においては、ベース部材３７に被覆部５１、把持部５３及び連結部５６を形成することによって、ＬＥＤヘッド１５Ｂｋを組み立てる際にホルダ３１に外力が加わることがなく、ＬＥＤユニット３３に対してホルダ３１が移動することがないようにしている。
【００６１】
図１は本発明の実施の形態におけるＬＥＤヘッドの中央部の断面図、図９は本発明の実施の形態におけるＬＥＤヘッドの中央部の平面図、図１０は本発明の実施の形態におけるＬＥＤヘッドの中央部の正面図、図１１は本発明の実施の形態におけるＬＥＤヘッドの中央部の分解図、図１２は本発明の実施の形態におけるＬＥＤヘッドの中央部の要部断面図である。
【００６２】
図において、１３Ｂｋは感光体ドラム、１５ＢｋはＬＥＤヘッド、３１はホルダ、３３はＬＥＤユニット、３７はベース部材、４１は凸片、４３は基板、４４はＬＥＤチップアレイ、４５はスペーサである。
【００６３】
前記ベース部材３７は、被覆部５１、把持部５３及び連結部５６を備え、前記被覆部５１の下面に、凸片４１及びスペーサ４５と対応させて凸部３７ａが形成される。
【００６４】
前記把持部５３は、ホルダ３１の長手方向におけるほぼ中央に、ホルダ３１の短手方向において外方に向けて突出させて形成される。
【００６５】
また、ホルダ３１内の被覆部５１とホルダ３１外の各把持部５３とを連結部５６によって連結するために、ホルダ３１の長手方向におけるほぼ中央の側壁Ｗｓ１、Ｗｓ２に、第１、第２の縁部としての側縁ｅｇ１、ｅｇ２及び第３の縁部としての底縁ｅｇ３から成る切欠き６１が形成される。
【００６６】
なお、本実施の形態において、ホルダ３１の長手方向におけるほぼ中央とは、ホルダ３１の長さ方向における中心から両端部に向けて、ホルダ３１の長さの１０〔％〕離れた箇所までの領域をいい、該領域に把持部５３の少なくとも一部が位置させられる。
【００６７】
本実施の形態においては、前記各把持部５３間の距離がホルダ３１の幅（短手方向の距離）より大きくされ、各把持部５３と対向する側壁Ｗｓ１、Ｗｓ２との間に所定の値の、本実施の形態においては、０．５〔ｍｍ〕程度の間隙ε３、ε４が形成される。また、連結部５６と切欠き６１の側縁ｅｇ１、ｅｇ２との間に所定の値の、本実施の形態においては、０．５〔ｍｍ〕程度の間隙ε５、ε６が形成され、連結部５６と切欠き６１の底縁ｅｇ３との間に所定の値の、本実施の形態においては、０．５〔ｍｍ〕程度の間隙ε７が形成される。
【００６８】
したがって、ＬＥＤヘッド１５Ｂｋを組み立てる際にベース部材３７がホルダ３１に接触することがないので、ホルダ３１に外力が加わらない。
【００６９】
また、各把持部５３の厚さδ２は２〔ｍｍ〕にされ、フレーム３９の垂下部４９の厚さδ１より小さくされる。なお、厚さδ２は、厚さδ１の６０〔％〕以上、かつ、８０〔％〕以下にされるのが好ましい。
【００７０】
したがって、操作者がプリンタ１１のトップカバーＣｖ（図３）を開き、続いて、閉じる際に、各ＬＥＤヘッド１５Ｂｋ、１５Ｙ、１５Ｍ、１５Ｃが、前記ヘッド収容部ｍに嵌入させられ、被誘導孔にピンｐｎが進入することによって画像形成ユニット１２Ｂｋ、１２Ｙ、１２Ｍ、１２Ｃに対して位置決めされる。このとき、各感光体ドラム１３Ｂｋ、１３Ｙ、１３Ｍ、１３Ｃのアッパハウジングｈａとフレーム３９とが接触し、垂下部４９に外力が加わっても、把持部５３に外力が加わることがない。その結果、各ＬＥＤヘッド１５Ｂｋ、１５Ｙ、１５Ｍ、１５Ｃを画像形成ユニット１２Ｂｋ、１２Ｙ、１２Ｍ、１２Ｃに対して精度良く位置決めすることができる。
【００７１】
そして、前記把持部５３は、矩形の形状を有し、幅ｗ１が１０〔ｍｍ〕に、高さｄ１が７〔ｍｍ〕にされる。また、切欠き６１は、矩形の形状を有し、幅ｗ２が８〔ｍｍ〕に、深さｄ２が７〔ｍｍ〕にされる。なお、幅ｗ１は、幅ｗ２の１１０〔％〕以上、かつ、１３０〔％〕以下にされるのが好ましい。
【００７２】
そして、前記把持部５３には、ホルダ３１の長手方向において切欠き６１の側縁ｅｇ１、ｅｇ２と隣接する部分に、距離Ｌ１、Ｌ２にわたって、ホルダ３１とオーバラップさせられる第１、第２の領域Ａｒ１、Ａｒ２が、ホルダ３１の高さ方向において切欠き６１の底縁ｅｇ３と隣接する部分に、距離Ｌ３にわたって、ホルダ３１とオーバラップさせられる第３の領域Ａｒ３が形成される。
【００７３】
把持部５３の幅ｗ１が切欠き６１の幅ｗ２より２〔ｍｍ〕広くされるので、ホルダ３１に対するベース部材３７の取付位置が、例えば、１〔ｍｍ〕程度ずれた場合でも、ＬＥＤヘッド１５Ｂｋ内が露出したり、ＬＥＤヘッド１５Ｂｋ内に周囲の光が進入したりするのを防止することができる。
【００７４】
このように、本実施の形態においては、ベース部材３７が、ホルダ３１より外方に突出させて形成された把持部５３を備えるので、ＬＥＤヘッド１５Ｂｋを組み立てる際に、作業者は把持部５３を把持してベース部材３７をホルダ３１に取り付けることができる。したがって、ベース部材３７がホルダ３１に接触することがなく、ホルダ３１に外力が加わらないので、ホルダ３１が変形するのを抑制することができる。その結果、レンズアレイ３５に対するＬＥＤユニット３３の位置が変化することがなくなるので、プリンタ１１によって形成される画像の品位を向上させることができる。
【００７５】
本実施の形態においては、把持部５３がホルダ３１の長手方向におけるほぼ中央に形成されるようになっているが、把持部５３を、ホルダ３１の長手方向における他の部分に形成することもできる。また、本実施の形態においては、把持部５３がホルダ３１の長手方向における１箇所に形成されるようになっているが、把持部５３を、ホルダ３１の長手方向における複数箇所に形成することもできる。
【００７６】
前記実施の形態においては、プリンタ１１について説明したが、本発明を複写機、ファクシミリ、複合機等の画像形成装置に適用することができる。
【００７７】
なお、本発明は前記実施の形態に限定されるものではなく、本発明の趣旨に基づいて種々変形させることが可能であり、それらを本発明の範囲から排除するものではない。
【符号の説明】
【００７８】
１５Ｂｋ、１５Ｙ、１５Ｍ、１５Ｃ    ＬＥＤヘッド
３１    ホルダ
３３    ＬＥＤユニット
３５    レンズアレイ
３７    ベース部材
４３    基板
４４    ＬＥＤチップアレイ
５３    把持部
【図１】
2019089295.tif 000003
【図２】
2019089295.tif 000004
【図３】
2019089295.tif 000005
【図４】
2019089295.tif 000006
【図５】
2019089295.tif 000007
【図６】
2019089295.tif 000008
【図７】
2019089295.tif 000009
【図８】
2019089295.tif 000010
【図９】
2019089295.tif 000011
【図１０】
2019089295.tif 000012
【図１１】
2019089295.tif 000013
【図１２】
2019089295.tif 000014